(57)【要約】【課題】  信憑性の高い調査結果の情報収集が可能であり、調査主体の希望する条件(情報収集タイミング、調査対象視聴者の選択・変更等)に柔軟に対応可能な情報収集システムを実現する。【解決手段】  番組提供者の放送手段が、調査対象番組に関する調査対象視聴者の情報を調査者が収集するための情報収集プログラムを放送すると共に、該情報収集プログラムを実行可能状態にする少なくとも１つのキーコードを該調査対象番組に付加して放送し、該調査対象視聴者の受信手段が、該調査者からキーコードが付与されたとき、このキーコードと該調査対象番組に付加されたキーコードとが一致したときのみ、そのときの該調査対象番組に対する該情報収集プログラムを実行し、該情報収集プログラムの実行結果をアクセスネットワークを介して該調査者宛に送信する。【選択図】  図1    
2006033183.tif 000002
【特許請求の範囲】
【請求項１】
調査対象番組に関する調査対象視聴者の情報を調査者が収集するための情報収集プログラムを放送すると共に、該情報収集プログラムを実行可能状態にする少なくとも１つのキーコードを該調査対象番組に付加して放送する番組提供者の放送手段と、
該調査者からキーコードが付与されたとき、このキーコードと該調査対象番組に付加されたキーコードとが一致したときのみ、そのときの該調査対象番組に対する該情報収集プログラムを実行し、該情報収集プログラムの実行結果を該調査者宛に送信する該調査対象視聴者の受信手段と、
該受信手段と該調査者とを接続するアクセスネットワークと、
を備えたことを特徴とする情報収集システム。
【請求項２】
請求項１において、
該調査者と該番組提供者とが異なることを特徴とした情報収集システム。
【請求項３】
請求項１において、
該調査者と該番組提供者とが同一であることを特徴とした情報収集システム。
【請求項４】
請求項２又は３において、
該受信手段は、該調査対象番組に付加されたキーコードと該受信手段に既に設定されているキーコードとが一致するか否かに関わらず、受信した該情報収集プログラムを予め実行待ち状態にしておくことを特徴とした情報収集システム。
【請求項５】
請求項２又は３において、
該受信手段は、該実行結果を記憶手段に一時的に記憶した後、該情報収集プログラムに規定された所定のタイミングで該記憶手段から該実行結果を読み出して該調査者宛に送信することを特徴とした情報収集システム。
【発明の詳細な説明】
【技術分野】
【０００１】
本発明は、情報収集システムに関し、特に、調査対象番組について実施する視聴率調査、番組モニタ調査、アンケート調査等の調査結果として視聴者情報を収集する方法及びシステムに関するものである。
【背景技術】
【０００２】
双方向データ放送システム
近年、ＢＳデジタル、ＣＳデジタル、ＣＡＴＶおよび地上波デジタル放送といったデジタル双方向サービスにおいては、テレビあるいはテレビ機能付きパソコン等の受信機を通常の電話回線又はブロードバンド（高速・大容量通信）回線に接続することで双方向データ放送システムを実現している。双方向データ放送の利用例としては、視聴者参加型クイズや投票・アンケート等が挙げられる。
【０００３】
図4は、一般的な双方向データ放送システムの概要を示した図である。図中、放送局10は、例えば固定受信サービスとしてハイビジョン映像放送及びデータ放送等のサービスを提供する各種放送サービス業者の放送局である。
【０００４】
また、双方向センター20は、双方向データ放送システムにおいて、各受信機40_1〜40_nからの各種リクエストを受信し、ホストコンピュータ21で処理を行い、放送局10とのデータ通信を行うセンターである。
【０００５】
受信機40_1〜40_nは一般家庭におけるテレビあるいはテレビ機能を保持したパソコン等であり、双方向データ放送サービス（視聴者参加型クイズ番組やアンケート等）が可能な処理機能を保持する受信機である。双方向データ放送サービスを受けるためには、受信機40_1〜40_nは、アクセスネットワーク30を介して双方向センター20に接続可能である必要がある。
【０００６】
なお、アクセスネットワーク30の方式は、アクセスポイント（図示せず）を介して受信機40_1〜40_nと双方向センター20とを接続する方式（PSTN、ISDN、PHS網、携帯網）や、受信機40_1〜40_nと双方向センター20とを直接接続する方式（ISDN、ADSL、FTTH、CATV）がある。
【０００７】
放送局10内には、情報源符号化部11、多重化部12、限定受信処理部13、及び伝送路符号化部14が設けられており、情報源符号化部11に入力される映像・音声信号11_1やデータ放送用信号11_2が符号化、多重化、伝送路符号化等の処理を施された後、アンテナ15から電波送出される。
【０００８】
この内、限定受信処理部13は特定の処理を行う場合に設けられ、例えば有料番組等の受信を限定するための処理として、ハイビジョン等の映像番組の情報を暗号化処理するものである。
【０００９】
放送局10のアンテナ15から電波放出された放送内容16は、映像放送16_1及びデータ放送16_2で構成されており、各受信機40_1〜40_nは放送内容16を受信することにより、映像放送18_1の視聴が可能になり、また、データ放送18_2による視聴者参加型クイズや投票・アンケート等に参加することが出来る。この場合、視聴者がキーボードやリモコン等の入力装置を用いて入力した情報は、アクセスネットワーク30を介して双方向センター20に送信される。
【００１０】
視聴率調査、番組モニタ調査、アンケート調査等
一方、従来より、テレビ放送の番組については視聴率調査、番組モニタ調査、アンケート調査等が行なわれている。この内、視聴率調査に関しては、画面表示装置に視聴情報取得のための専用のセットトップボックスを連結して調査を実施するのが一般的である。
【００１１】
このような視聴率調査の方法としては、専用のセットトップボックスでプログラムやチャネルの変更等の加入者によるイベントとタイムスタンプを含むイベント記録を形成し、イベント記録を一時保存した後、圧縮し、パケット単位で統合処理装置に送信し、統合処理装置において最終的な情報集計を行なうものがある（例えば、特許文献１参照。）。
【００１２】
また、特定番組に関する番組モニタ調査やアンケート調査は、番組を視聴した後に視聴者がアンケート用紙に記入又はインタビューを受けるという方法が一般的であった。
【特許文献１】特表2001-508259号公報
【発明の開示】
【発明が解決しようとする課題】
【００１３】
従来の視聴率調査方法では、調査対象者は無作為に抽出されているとはいえ、調査対象者に専用のセットトップボックスを提供することから、視聴率調査を実施する調査業者は調査対象者を把握している。また、調査対象者の画面表示装置に専用のセットボックスが設置されていることから、調査業者だけでなく、調査対象番組の提供元であるコンテンツ提供業者（各種放送事業者等）にも簡単に調査対象者が判明可能である。さらに、視聴者自身も自分が調査対象であることを意識することになる。
【００１４】
従って、コンテンツ提供業者や視聴者間の恣意的な情報操作行為等が比較的容易に行えてしまい、このような情報操作が行われた場合には調査結果の信憑性が損なわれるという問題がある。
【００１５】
また、視聴率調査用のセットトップボックス等の専用装置の設置導入が必要となるため、調査対象者の変更は容易でない。
【００１６】
一方、番組モニタ調査やアンケート調査についても、専門の調査業者が実施する場合が多いため、例えば、特定のコンテンツ提供業者が特定の番組のみのアンケート調査を実施したい場合等において、希望する情報収集のタイミング等の様々な調査条件の設定や調査結果の分析をコンテンツ提供業者が独自に行なえるような環境の構築は難しい。
【００１７】
また、調査対象の視聴者についても、アンケート回答のために番組放送時間以外の時間を拘束されてしまう場合、煩わしさが伴う。
【００１８】
従って本発明は、信憑性の高い調査結果の情報収集が可能であり、調査主体の希望する条件(情報収集タイミング、調査対象視聴者の選択・変更等)に柔軟に対応可能な情報収集システムを実現することを課題とする。
【課題を解決するための手段】
【００１９】
上記の課題を解決するため本発明に係る情報収集システムは、調査対象番組に関する調査対象視聴者の情報を調査者が収集するための情報収集プログラムを放送すると共に、該情報収集プログラムを実行可能状態にする少なくとも１つのキーコードを該調査対象番組に付加して放送する番組提供者の放送手段と、該調査者からキーコードが付与されたとき、このキーコードと該調査対象番組に付加されたキーコードとが一致したときのみ、そのときの該調査対象番組に対する該情報収集プログラムを実行し、該情報収集プログラムの実行結果を該調査者宛に送信する該調査対象視聴者の受信手段と、該受信手段と該調査者とを接続するアクセスネットワークと、を備えたことを特徴としている。
【００２０】
すなわち、情報収集プログラムは、調査者が調査対象番組に関する調査対象視聴者の情報を収集するためのものであり、キーコードは、各調査対象視聴者の受信手段に対し該調査者から付与されることにより、該情報収集プログラムを実行可能状態にするものである。
【００２１】
番組提供者の放送手段は、該情報収集プログラムを放送すると共に少なくとも１つの該キーコードを付加して該調査対象番組を放送し、これらを受信する該調査対象視聴者の受信手段は、該調査者から付与されたキーコードと該調査対象番組に付加されたキーコードとが一致したときのみ、そのときの該調査対象番組に対する該情報収集プログラムを実行し、該情報収集プログラムの実行結果を該アクセスネットワークを介して該調査者宛に送信する。
【００２２】
これにより、該調査者からキーコードが付与された正当な調査対象視聴者が使用する受信手段においてのみ、情報収集プログラムを実行することが可能になる。この場合、従来の視聴率調査用のセットトップボックスのように特定の調査用の専用装置を予め調査対象の視聴者に配布する必要は無く、また、受信手段にキーコードが設定されているか否かは外見上判別し難いため、一般の視聴者と調査対象視聴者との区別がつき難い。従って、従来のような恣意的な情報操作等は行い難くなり、信憑性の高い情報収集が可能となる。
【００２３】
また、キーコードを用いて調査対象視聴者を特定するため、上記の専用装置を用いる場合と比較して調査対象視聴者の変更が容易になる。
【００２４】
さらに、情報収集プログラムを実行可能状態にするキーコードの数、調査対象視聴者の受信手段に対するキーコード付与方法（例えば、全ての調査対象視聴者の受信手段に対して異なるキーコードを付与する方法や複数の調査対象視聴者の受信手段に対して共通したキーコードを付与する方法）、調査対象番組に付加するキーコードの数、及びこれらの条件の組合せは調査内容によって任意に設定することが出来るため、調査者の希望する条件に柔軟に対応可能となる。
【００２５】
また、上記の情報収集システムは、該調査者と該番組提供者とが異なっていてもよい。
【００２６】
すなわち、調査者と調査対象番組の番組提供者とが異なれば、全ての調査対象視聴者を把握しているのは、キーコードを付与した調査者のみである。また、上述の如く、受信手段にキーコードが設定されているか否かは外見上判別し難いため、番組提供者による調査対象視聴者の探索は困難である。従って、視聴率調査等において、番組提供者による恣意的な情報操作を防ぐことが可能であるため、信憑性の高い情報収集が可能となる。
【００２７】
或いは、上記の情報収集システムは、該調査者と該番組提供者とが同一であってもよい。
【００２８】
すなわち、調査者と調査対象番組の番組提供者とが同一であれば、例えば、番組モニタ調査やアンケート調査を行う場合に、調査者を兼ねている番組提供者は、希望する条件に柔軟に対応して情報収集を行なうことが可能となる。
【００２９】
また、上記の受信手段は、該調査対象番組に付加されたキーコードと該受信手段に既に設定されているキーコードとが一致するか否かに関わらず、受信した該情報収集プログラムを予め実行待ち状態にしてもよい。
【００３０】
すなわち、該受信手段を使用するのは該情報収集プログラムを実行する権利を有する該調査対象視聴者であることから、該受信手段が受信したを予め実行待ち状態にしておき、最終的には該調査対象番組に付加されたキーコードと該受信手段に設定されているキーコードとが一致したときのみ該情報収集プログラムを実行する。
【００３１】
これにより、例えば、複数の調査対象番組について同一の情報収集プログラムを共通に用いる場合においても、該受信手段に設定されているキーコードに一致するキーコードが付加された調査対象番組に対してのみ、該情報収集プログラムを実行することが可能になる。
【００３２】
また、上記の受信手段は、該実行結果を記憶手段に一時的に記憶した後、該情報収集プログラムに規定された所定のタイミングで該記憶手段から該実行結果を読み出して該調査者宛に送信してもよい。
【００３３】
すなわち、調査者が所定の情報収集タイミングを該情報収集プログラムに規定しておけば、該受信手段は、該実行結果を該所定のタイミングで該調査者宛に送信することができる。この場合、該受信手段は、該実行結果を記憶手段に一時的に記憶し、送信時には該記憶手段から該実行結果を読み出す。
【００３４】
従って、調査者は、希望するタイミングで情報を収集することが可能になる。
【００３５】
さらに、上記の受信手段は、該調査対象番組に付加されたキーコードと該受信手段に既に設定されているキーコードとが一致しないときは、該情報収集プログラムを擬似的に実行してもよく、この場合、該情報収集プログラムの実行結果を送信しなければよい。
【００３６】
すなわち、該調査対象番組に付加されたキーコードと該受信手段に既に設定されているキーコードとが一致しないとき、該情報収集プログラムを擬似的に実行しても、該擬似的に実行された該情報収集プログラムの実行結果は、該受信手段から送信されない。
【００３７】
これにより実際には調査対象になっていない視聴者の受信手段においても、該情報収集プログラムが擬似的に実行されることから、実際の調査対象視聴者とそうでない者との区別がつきにくくなるため、恣意的な情報操作等の防止に役立つ。
【００３８】
また、上記の放送手段は、該情報収集プログラムを該調査対象番組と同一時間帯で放送してもよい。
【００３９】
すなわち、該情報収集プログラムは、いわゆる番組連動型データ放送又は番組補完型データ放送により、該調査対象番組と同一時間帯で放送される。
【００４０】
さらに、上記の放送手段は、該情報収集プログラムを該調査対象番組から独立して放送してもよい。
【００４１】
すなわち、該情報収集プログラムは、該調査対象番組から独立して調査開始時刻までに放送される。
【発明の効果】
【００４２】
本発明によれば、一般の視聴者と調査対象視聴者との区別がつき難いので、従来のような恣意的な情報操作等は行い難くなり、信憑性の高い情報収集が可能となる。また、情報収集プログラムを実行可能にするキーコードの数、調査対象視聴者の受信手段に対するキーコード付与方法、調査対象番組に付加するキーコードの数、及びこれらの条件の組合せは調査内容によって任意に設定することが出来るため、調査者の希望する条件に柔軟に対応可能となる。
【発明を実施するための最良の形態】
【００４３】
図1は本発明の実施例を示したものであり、図中、放送局100、双方向センター200、アクセスネットワーク300、受信機400_1〜400_nは、それぞれ、図4に示した一般的な双方向データ放送システムにおける放送局10、双方向センター20、アクセスネットワーク30、及び受信機40_1〜40_nに相当するものである。
【００４４】
すなわち、放送局100は、例えば固定受信サービスとしてハイビジョン映像放送及びデータ放送等のサービスを提供する各種放送サービス業者の放送局である。
【００４５】
放送局100は、図4の放送局10と同様に、情報源符号化部110、多重化部120、限定受信処理部130、伝送路符号化部140、及びアンテナ150を有しており、各機能部の基本的な動作は、図4の放送局10における情報源符号化部11、多重化部12、限定受信処理部13、伝送路符号化部14、及びアンテナ15と同様であるが、限定受信処理部130内にキーコード付与処理部131が設けられている点が異なっている。
【００４６】
また、双方向センター200は、双方向データ放送システムにおいて、各受信機400_1〜400_nからの各種リクエストを受信し、ホストコンピュータ210で処理を行い、放送局100とのデータ通信を行うセンターである。
【００４７】
受信機400_1〜400_n（以下、符号400で総称する場合がある。）は一般家庭におけるテレビあるいはテレビ機能を保持したパソコン等であり、双方向データ放送サービス（視聴者参加型クイズ番組やアンケート等）が可能な処理機能を保持する受信機である。また、受信機400_1〜400_nは、アクセスネットワーク300を介して双方向センター200に接続されている。
【００４８】
各受信機400は全て同様の構成を有するものあり、受信機400_1内のみに詳細に図示するように、フィルタ処理部401、番組処理制御部402、通信処理部403、BML(broadcast markup language)ブラウザ404、データ放送実行処理制御部406、メモリ407、記憶装置408、及び外部入力制御部409が設けられている。
【００４９】
この内、フィルタ処理部401は、映像放送161及びデータ放送162から成る放送内容160を受信後にフィルタし、映像放送161に付加された各種キーコードを取得するものである。また、番組処理制御部402は、フィルタ処理部401で取得したキーコードの種別を判断するものである。通信処理部403は、受信機400とアクセスネットワーク300との間の通信処理を行うものである。また、BMLブラウザ404は、番組BML405の記述に従って受信した映像情報161を表示するものである。さらに、データ放送実行処理制御部406は、受信したデータ放送162に含まれるプログラム等(例えば、情報収集プログラムA)の実行に関する制御を行うものであり、必要に応じて、メモリ407の照会や、プログラム実行結果の記憶装置408への格納を行なう。また、外部入力制御部409は、リモコン、キーボード、カードリーダ等による外部入力を制御するものである。
【００５０】
また、図1には、双方向センター200及び放送局100に共通接続された調査業者500とアクセスネットワーク300に接続された情報収集部600が示されている。
【００５１】
調査業者500は、コンテンツ提供者からの依頼により、又はコンテンツ提供者に対して中立的な立場の第三者機関として調査対象番組に関する調査を実施するものであり、情報収集部600は調査結果の情報を収集し、データベース610に蓄積する機能を有するものである。
【００５２】
同図においては、説明の便宜上、放送局100、双方向センター200、調査業者500、及び情報収集部600は互いに独立するように図示しているが、本発明はこのような構成に限られるものではない。
【００５３】
特に、放送局100と調査業者500については、例えば、視聴率調査のように、中立的な立場で調査を行なう必要がある場合は、図示の如く互いに独立している必要がある。しかしながら、例えば、アンケート調査であれば、必ずしも図示の如く放送局100と調査業者500とを互いに独立させる必要はなく、同一であっても構わない。
【００５４】
また、放送局100の内部に双方向センター200が配置されていてもよく、双方向センター200内に情報収集部600が配置されていてもよい。
【００５５】
情報収集手順の概要
以下、図1を用いて、情報収集手順の概要を説明する。
【００５６】
まず、調査業者500は、情報収集プログラムAを準備し、これにキーコード“a”,“b”,及び“c”を対応付ける。
【００５７】
ここで、情報収集プログラムAは、調査対象番組に関する視聴者情報を収集するためのものであり、例えば、視聴率調査用のイベント収集プログラムやアンケート調査用プログラムであればよい。
【００５８】
また、キーコード“a”,“b”,及び“c”は、情報収集プログラムAを調査対象視聴者の受信機400において実行するための実行トリガとなる任意のキーコードであり、図1の例では、調査業者500は、例えば、受信機400_1、400_2、及び400_nの保有者である視聴者I、II、及びIII(図示せず)に対し、郵送等による任意の方法で事前にキーコード“a”,“b”,及び“c”をそれぞれ配布する。
【００５９】
なお、図1には、視聴者I〜IIIにそれぞれ異なるキーコード“a”,“b”,“c”を配布して受信機400_1、400_2、及び400_nのメモリ407にそれぞれ配布されたキーコードが設定された例が示されているが、複数の視聴者に同一のキーコードを配布しても構わないし、キーコードの数も3つとは限らず一つの情報収集プログラムに対して任意の数のキーコードを対応付けてもよい。
【００６０】
また、情報収集プログラムA内には、必要に応じて、例えば、プログラム実行結果としての視聴率調査結果であるイベント情報やアンケートの回答データ等の送信先（同図の例では情報収集部600のアドレス）や送信タイミングについても指定しておくものとする。
【００６１】
次に、視聴者I〜IIIは配布されたキーコード“a”,“b”,“c”をそれぞれ、受信機400_1、400_2、及び400_nにリモコン、キーボード、カードリーダ等の外部入力装置を使用して入力する。外部入力されたキーコード“a”,“b”,“c”は、図示の如く、各受信機400内のメモリ407にそれぞれ格納される。
【００６２】
一方、放送局100では、限定受信処理部130内のキーコード付与処理部131において、予め調査業者500によって用意されたキーコード“a”,“b”,“c”(符号132参照)の内、少なくとも1つのキーコードを付加する。同図の例では、キーコード“a”及び“b”を、符号“134”で示すように、調査対象番組の映像・音声情報133に付加する。
【００６３】
この場合、キーコード付与処理部131は、映像・音声情報133について暗号化等の処理は行わず、そのまま放送するものとする。すなわち、映像・音声情報133は、キーコードが付加されるだけであり、映像・音声情報133そのものについては暗号化等の処理は行わない。従って、受信機400内の番組処理制御部402においてキーコードが解析不可能な場合でも、映像番組の視聴には影響を及ぼさない。
【００６４】
また、放送局100は、情報収集プログラムAをデータ放送162として放送する。この場合、情報収集プログラムAは調査対象番組の映像放送161と同一時間帯に、番組連動型又は番組補完型のデータ放送162として送出される。なお、情報収集プログラムAのデータ放送162は、番組連動型又は番組補完型に限らず、映像放送161から独立したデータ放送であってもよい。
【００６５】
放送局100から放送された放送内容160を受信する各受信機400では、メモリ407内にキーコードが存在する場合には、受信した情報収集プログラムAを実行待ちとし、さらに、受信した映像放送161内に付加されているキーコードと既にメモリ407に格納されているキーコードとが一致した場合にのみ、情報収集プログラムAを実行し、実行結果は、一時的に記憶装置408に記憶された後、情報収集プログラムAによって規定されるタイミングで通信処理部403から情報収集部600宛てに送信される。
【００６６】
同図の例では、視聴者I及びIIの受信機400_1及び400_2において、それぞれ、メモリ407に格納されているキーコード“a”及び“b”が、受信した映像放送161内に付加されているキーコード“a”及び“b”と一致するため、情報収集プログラムAを実行する。しかしながら、視聴者IIIの受信機400_nにおいては、メモリ407に格納されているキーコード“c”が一致しないため、情報収集プログラムAを実行しない。
【００６７】
次に、各受信機400における動作の詳細について、放送局100からの情報収集プログラムAのデータ放送162の形態が、番組連動型又は番組補完型のように調査対象番組と同一時間帯のデータ放送である場合と、調査対象番組から独立したデータ放送である場合とに分けて以下に説明する。
【００６８】
受信機400の動作実施例(1)
まず、図2を用いて、番組連動型又は番組補完型のように調査対象番組と同一時間帯のデータ放送の場合における各受信機400の動作実施例を説明する。
【００６９】
同図には、キーコード“a”及び“b”が付加された映像放送161及び情報収集プログラムAのデータ放送162を受信機400_nが受信する場合の処理フローを、情報収集プログラムAの実行に関連する構成要素と共に示したものである。なお、同図の受信機400_n内には、フィルタ処理部401、番組処理制御部402、データ放送実行処理制御部406、及びメモリ407のみが図示されているが、図1における受信機400_1内に示したその他の構成要素も同様に含まれているものとする。
【００７０】
まず、受信機400_nのデータ放送実行処理制御部406は、受信した情報収集プログラムAを実行する権利に相当するキーコードがメモリ407に存在するか否かを判定する(ステップS10)。キーコードがメモリ407に存在しない場合は情報収集プログラムAを実行せず(同S12)、存在する場合には情報収集プログラムAを実行待ち状態にする(同S11)。同図の場合には、メモリ407にキーコード“c”が存在するため、情報収集プログラムAはステップS11において実行待ちになる。
【００７１】
一方、フィルタ処理部401では受信した映像放送161にキーコードが付加されているか否かを判定し(同S20)、付加されている場合には付加キーコードを取得する(同S30)。同図の場合は、ステップS30において、キーコード“a”及び“b”が取得される。
【００７２】
次に、番組処理制御部402では、フィルタ処理部401で取得したキーコード(キーコード“a”及び“b”)の種別を判断する(同S40)。ここで、データ放送制御用コードであると判断した場合には、データ放送実行処理制御部406にキーコードを渡す。
【００７３】
なお、ステップS20においてフィルタ処理部401によってキーコードが付加されていないと判定された場合及びステップS40において番組処理制御部402によって映像放送用ののキーコードであると判断された場合には、受信した映像放送161について通常の映像受信処理S21が行なわれる。
【００７４】
映像放送161に付加されたデータ放送用のキーコードを番組処理制御部402から渡されたデータ放送実行処理制御部406は、これとメモリ407に格納されているキーコード(同図の場合はキーコード“c”)との照合を行なう(同S50)。キーコードが一致した場合には、ステップS11で実行待ち状態になっていた情報収集プログラムAを実行する(同S51)。不一致の場合には、図示の実線矢印の如く、情報収集プログラムAを擬似的に見せかけ実行する(同S52)。
【００７５】
なお、不一致の場合には、図示の破線矢印で示したステップS53の如く情報収集プログラムAを実行しないという動作も可能である。
【００７６】
同図は、メモリ407内にキーコード“c”が格納された受信機400_nの例であるので、ステップS10においてキーコードが存在すると判定され、ステップS11で情報収集プログラムAが実行待ち状態になった後、ステップS50でキーコード照合結果が「不一致」となる。従って、情報収集プログラムAは擬似的に見せかけ実行(同S52)が行われるか、或いは、実行されない(同S53)。
【００７７】
図1に示した受信機400_１及び400_2の場合は、それぞれ、メモリ407内にキーコード“a”及び“b”が格納されているため、図2における受信機400_nとは異なり、ステップS50でキーコード照合結果が「一致」となるため、それぞれ情報収集プログラムAを実行(同S51)することになる。
【００７８】
また、図示していないが、メモリ407に何らキーコードが格納されていない受信機400の場合には、ステップS10でキーコードが存在しないと判定されて情報収集プログラムAは実行されない。
【００７９】
上記の動作実施例(1)は、特定番組のモニタ調査或いはアンケート調査において、予め募集しておいた調査対象者に対して、調査対象番組を視聴しながら同時に放送されるデータ放送により、質問事項に回答してもらう場合に有効である。この場合、各受信機400からの回答は番組終了と同時或いは予め情報収集プログラムAに規定されたタイミングでアクセスネットワーク300に送信される。
【００８０】
受信機400の動作実施例(2)
次に、図3を用いて、調査対象番組から独立したデータ放送の場合における各受信機400の動作実施例を説明する。
【００８１】
同図には、図2とは異なり、一連の映像放送161_1〜161_3によって、それぞれ番組1〜番組3が放送され、番組1〜番組3にはそれぞれ、キーコード“a”と“b”、キーコード“a”と“c”、キーコード“b”と“c”が付加されている様子が示されている。また、映像放送161_1〜161_3とは独立したデータ放送162として情報収集プログラムAが放送されている。
【００８２】
なお、受信機400_nは、映像放送161_1〜161_3の受信前にデータ放送162を受信しておくものとする。
【００８３】
図3に示した受信機400_nも、処理フローに関連する構成要素のみが示さされており、ステップS10〜ステップ40までの処理は、図2の場合と同様である。
【００８４】
すなわち、受信機400_nのデータ放送実行処理制御部406は、受信した情報収集プログラムAを実行する権利に相当するキーコードがメモリ407に存在するか否かを判定する(ステップS10)。存在しない場合は、情報収集プログラムAを実行しない(同S12)が、存在する場合には、情報収集プログラムAを実行待ち状態にする(同S11)。但し、ここまでのステップS10〜S12は、映像放送161_1〜161_3の受信前に終了している。
【００８５】
一方、フィルタ処理部401では受信した映像放送161_1〜161_3のそれぞれについて、キーコードが付加されているか否かを判定し(同S20)、付加されている場合には付加キーコードを取得する(同S30)。同図の場合は、ステップS30において、映像放送161_1に関してはキーコード“a”及び“b”が取得され、映像放送161_2に関してはキーコード“a”及び“c”が取得され、映像放送161_3に関してはキーコード“a”及び“c”が取得される。
【００８６】
次に、番組処理制御部402では、フィルタ処理部401で取得したキーコードの種別を判断する(同S40)。ここで、番組処理制御部402が、データ放送制御用コードであると判断した場合には、データ放送実行処理制御部406にキーコードを渡す。
【００８７】
なお、図2の場合と同様に、ステップS20においてフィルタ処理部401によってキーコードが付加されていないと判定された場合及びステップS40において番組処理制御部402によって映像放送用ののキーコードであると判断された場合には、通常の映像受信処理S21が行なわれる。
【００８８】
映像放送161_1〜161_3に付加されたデータ放送用のキーコードを番組処理制御部402から渡されたデータ放送実行処理制御部406は、これらとメモリ407に格納されているキーコード(同図の場合はキーコード“c”)との照合をそれぞれ行なう(同S60,S70,S80)。
【００８９】
この場合、番組1に付加されたキーコードは「不一致」であると判定されるため、番組1に対する情報収集プログラムAは実行せず(同S61)、番組2及び3に付加されたキーコードは「一致」であると判定されるため、それぞれについて情報収集プログラムAを実行する(同S71,S81)。
【００９０】
なお、図3には、図2に示したステップS52のような、情報収集プログラムAの擬似的な見せかけ実行のステップが含まれていないが、ステップS61の代わりに擬似的な見せかけ実行を行ってもよい。
【００９１】
同図は、メモリ407内にキーコード“c”が格納された受信機400_nの例であるため、上記の如く、番組2及び3について情報収集プログラムAが実行されるが、図1に示した受信機400_１の場合は、メモリ407内にキーコード“a”が格納されているため、映像放送161_1〜161_3を受信した場合には、番組1び番組2について情報収集プログラムAが実行されることになる。また、同様に受信機400_2の場合は、メモリ407内にキーコード“b”が格納されているため、番組1び番組3について情報収集プログラムAが実行されることになる。
【００９２】
また、メモリ407に何らキーコードが格納されていない受信機400の場合には、ステップS10でキーコードが存在しないと判定されて情報収集プログラムAは実行されない。
【００９３】
このような動作実施例(2)は、情報収集プログラムAが、例えば、複数の調査対象番組に共通して実行すべきものである場合に有効である。この場合、情報収集プログラムAを調査対象番組から独立して事前に放送しておき、受信機400内の記憶装置408に保存しておく。
【００９４】
情報収集プログラムAはキーコードが一致した番組時間枠内において、視聴者の全てのイベント処理、タイムスタンプをイベント情報として収集し、受信機400は、予め情報収集プログラムAで規定されたタイミングでイベント情報を情報収集部600宛てに送信する。
【００９５】
なお、上記の視聴率に関するイベント情報やアンケート調査結果データは、視聴者のプライバシーに関連する情報であるため、通常のアクセスネットワーク300を介して情報を収集する際、セキュリティーの観点から受信機400からアクセスネットワーク300に送信されるデータについて暗号化処理を施すことが望ましい。
【００９６】
この場合の応用例として、調査業者500は、調査対象者に配布するキーコードとして複数の公開キーを用意し、公開キーに対応した複数の暗号キーを調査業者500自らが保持する。
【００９７】
この場合、情報収集プログラムAに暗号化処理プログラムを追加又は組み込んが後にデータ放送を行う。また、受信機400は、情報収集プログラムの実行結果を暗号化処理プログラムにより、公開キーを用いて暗号化してデータ送信し、これを受信する調査業者500では、暗号キーを用いて復号化することにより、セキュリティ対策を講じることが出来る。
【００９８】
（付記１）
調査対象番組に関する調査対象視聴者の情報を調査者が収集するための情報収集プログラムを放送すると共に、該情報収集プログラムを実行可能状態にする少なくとも１つのキーコードを該調査対象番組に付加して放送する番組提供者の放送手段と、
該調査者からキーコードが付与されたとき、このキーコードと該調査対象番組に付加されたキーコードとが一致したときのみ、そのときの該調査対象番組に対する該情報収集プログラムを実行し、該情報収集プログラムの実行結果を該調査者宛に送信する該調査対象視聴者の受信手段と、
該受信手段と該調査者とを接続するアクセスネットワークと、
を備えたことを特徴とする情報収集システム。
（付記２）付記１において、
該調査者と該番組提供者とが異なることを特徴とした情報収集システム。
（付記３）付記１において、
該調査者と該番組提供者とが同一であることを特徴とした情報収集システム。
（付記４）付記２又は３において、
該受信手段は、該調査対象番組に付加されたキーコードと該受信手段に既に設定されているキーコードとが一致するか否かに関わらず、受信した該情報収集プログラムを予め実行待ち状態にしておくことを特徴とした情報収集システム。
（付記５）付記２又は３において、
該受信手段は、該実行結果を記憶手段に一時的に記憶した後、該情報収集プログラムに規定された所定のタイミングで該記憶手段から該実行結果を読み出して該調査者宛に送信することを特徴とした情報収集システム。
（付記６）付記２又は３において、
該受信手段は、該調査対象番組に付加されたキーコードと該受信手段に既に設定されているキーコードとが一致しないときは、該情報収集プログラムを擬似的に実行し、該情報収集プログラムの実行結果を送信しないことを特徴とした情報収集システム。
（付記７）付記２又は３において、
該放送手段は、該情報収集プログラムを該調査対象番組と同一時間帯で放送することを特徴とした情報収集システム。
（付記８）付記２又は３において、
該放送手段は、該情報収集プログラムを該調査対象番組から独立して放送することを特徴とした情報収集システム。
【図面の簡単な説明】
【００９９】
【図１】本発明に係る情報収集システムを示したブロック図である。
【図２】図1における受信機400の動作実施例(1)を示したブロック図である。
【図３】図1における受信機400の動作実施例(2)を示したブロック図である。
【図４】一般的な双方向データ放送システムの概要を示したブロック図である。
【符号の説明】
【０１００】
10, 100  放送局
11, 110  情報源符号化部
12, 120  多重化部
13, 130  限定受信処理部
131  キーコード付加処理部
14, 140  伝送路符号化部
15, 150  アンテナ
16, 160  放送内容
16_1, 161  映像放送
16_2, 162  データ放送
20, 200  双方向センター
210  ホストコンピュータ
30, 300  アクセスネットワーク
40_1〜40_n, 400_1〜400_n  受信機
401  フィルタ処理部
402  番組処理制御部
403  通信処理部
404  BMLブラウザ
405  番組BML
406  データ放送実行処理制御部
407  メモリ
408  記憶装置
409  外部入力制御部
500  調査業者
600  情報収集部
610  データベース
10, 100  放送局
10, 100  放送局
図中、同一符号は同一又は相当部分を示す。
【図１】
2006033183.tif 000003
【図２】
2006033183.tif 000004
【図３】
2006033183.tif 000005
【図４】
2006033183.tif 000006